(57)【要約】【課題】画像記録装置に搭載されるハードディスク装置は、ハードディスク装置の使用環境温度により、その信頼性が大きく左右されるため、冷却ファンにより適切に冷却を行う必要がある。しかし常時冷却ファンを回転させると、ハードディスク装置の過冷却、ファンの寿命低下、ファン騒音が課題となる【解決手段】そこで、画像記録装置内に設けた温度センサーを基準温度とし、予めハードディスク装置のＳＭＡＲＴ情報から得る内部温度と比較し、その温度差Ｔｍを動作時のハードディスク装置内部温度Ｔｈに加算した温度Ｔｆにより適切な冷却ファンの回転数制御を行う。この補正温度は、画像記録装置が電源遮断され装置構成部品が環境温度に馴染み後、ハードディスク装置起動直後に取得したＳＭＡＲＴ温度Ｔｓと基準温度Ｔｓの差Ｔｍを演算、フラッシュＲＯＭに記憶させて置く。【選択図】図１
2007058994.tif 000002
【特許請求の範囲】
【請求項１】
ハードディスク装置の内部温度Ｔｈを検出する第１の検出ステップと、画像記録装置内に設けた基準温度Ｔｒを検出する第２の検出ステップと、前記基準温度Ｔｒと、前記ハードディスク装置の起動直後に前記第１の検出ステップで検出した内部温度Ｔｓとの差Ｔｍ＝Ｔｒ−Ｔｓと、画像記録装置の動作時の温度Ｔｆ＝Ｔｈ＋Ｔｍを演算する演算ステップと、前記温度の差Ｔｍを記憶する記憶ステップと、画像記録動作時の温度Ｔｆにより冷却ファンの回転数を制御する制御ステップとを有する画像記録装置の冷却方法。
【請求項２】
前記基準温度Ｔｒの検出ステップが、画像記録装置に搭載された光ディスク装置内に設けた温度センサーにより検出される事を特徴とする、請求項１の画像記録装置の冷却方法。
【請求項３】
前記内部温度Ｔｈは、ハードディスク装置のＳＭＡＲＴ（Ｓｅｌｆ  Ｍｏｎｉｔｏｒｉｎｇ  Ａｎａｌｙｓｉｓ  ＆  Ｒｅｐｏｒｔｉｎｇ  Ｔｅｃｈｎｏｌｏｇｙ）情報より得られることを特徴とする、請求項１に記載の画像記録装置の冷却方法。
【請求項４】
請求項１から請求項３のいずれかの請求項に記載の冷却方法でハードディスク装置を冷却する画像記録装置。
【発明の詳細な説明】
【技術分野】
【０００１】
本発明は、画像記録装置の冷却方法、特にハードディスク装置を搭載した画像記録装置に関するものである。
【背景技術】
【０００２】
ハードディスク装置を有する電子装置の冷却装置の構成を図５に示す（例えば特許文献１参照。）。図において、電子装置５０は、ハードディスク装置５１、電子回路部５２、表示部５３、冷却ファン制御部５４、及び電源回路部５５から構成されている。電子回路部５２は、ハードディスク装置５１、表示部５３および冷却ファン制御部５４を制御する事ができる。ＬＥＤ等の表示部５３は、電子回路部５２がハードディスク装置５１をアクセスしたときに表示制御信号６１に応答して点灯する。電源回路部５５は電子回路部５２等に電源を供給する。また、電子装置５０は、電源内部を冷却すると共に装置内部も冷却するための冷却ファンを内蔵しており、ファンの回転数切り替えを行う冷却ファン制御部５４を有している。冷却ファンの回転数を切り替えるためのファン駆動モータ制御信号（ＯＮ／ＯＦＦ情報）６３は、ハードディスク装置の制御を行っている電子回路部５２から得る。ハードディスク装置５１が発熱するのはハードディスク装置５１の駆動モータ制御信号６２のＯＮ情報によりハードディスク装置５１の駆動モータがＯＮしている時であるため、ハードディスク装置５１の駆動モータがＯＮしている時には冷却ファンの回転数を上げるようにする。ハードディスク装置５１の温度が一番上昇するハードディスク装置５１へのデータのリード／ライト時でも、ハードディスク装置５１の使用環境温度未満になる回転数を設定する必要がある。一方、ハードディスク装置５１の駆動モータがＯＦＦしているときには、装置内部温度が装置規格値内に収まる程度のファン回転数に設定する。このようにすることで、ファン回転数切り替え回路が簡単に構成でき、ハードディスク装置５１の温度と電子装置５０の内部の温度上昇が抑えられる。
【特許文献１】特開平１０−３１２６６８号公報
【発明の開示】
【発明が解決しようとする課題】
【０００３】
しかしながら前記電子装置及び、ハードディスク装置の冷却方法では、ハードディスク装置の駆動モータのＯＮ及び、ＯＦＦ時に冷却ファンの回転数を切替えるため、ハードディスク装置が起動している時に常に冷却ファンが高回転となり、使用環境温度が低く、冷却が不要な時にもファンが回転するため、過度の冷却によりハードディスク装置のリード／ライトデータへの影響が発生し、ハードディスク装置の寿命低下に繋がる。更には、ファンの寿命低下や騒音が大きい等の課題も発生する。また、ハードディスク装置は、装置生産者や記録容量により駆動時の内部温度上昇が異なるため、適切な冷却を行うには個々のハードディスク装置に応じた冷却ファンの制御が必要となっている。
【０００４】
本発明の目的は、ハードディスク装置の交換や、記録容量が異なっても広範囲の使用環境温度に応じた冷却を行う事ができる冷却ファンの制御が可能であり、最小限度のファン回転とファン騒音にする事が出来る画像記録装置を提供する事にある。
【課題を解決するための手段】
【０００５】
上記目的を達成するために、本発明の画像記録装置及び、ハードディスク装置の冷却方法は、ハードディスク装置のＳＭＡＲＴ（ＳＭＡＲＴ：Ｓｅｌｆ  Ｍｏｎｉｔｏｒｉｎｇ  Ａｎａｌｙｓｉｓ  ＆  Ｒｅｐｏｒｔｉｎｇ  Ｔｅｃｈｎｏｌｏｇｙ・・・ＡＴＡ規格、以下ＳＭＡＲＴと略す）情報より得られるハードディスク装置の内部温度の検出手段と、予め環境温度に十分馴染んだ画像記録装置内に設けた基準温度を温度センサーにより検出する手段と、ハードディスク装置の起動直後のＳＭＡＲＴ情報より得られる内部温度（ＳＭＡＲＴ温度と略す）を検出する手段と、基準温度と起動直後のハードディスク装置のＳＭＡＲＴ温度の差を演算し、補正温度とする手段と、補正温度を記憶する手段と、ハードディスク装置の動作時のＳＭＡＲＴ温度に補正温度を加算し、冷却ファン制御温度を算出する手段と、冷却ファン制御温度により冷却ファンの回転数を制御するファン制御回路より構成される事を特徴とし、ハードディスク装置により異なる内部温度に対しても適切で精度の高い冷却ファンの制御が可能となる
【発明の効果】
【０００６】
本発明の請求項１記載の発明は、画像記録装置のハードディスク装置の交換や異なる生産者のハードディスク装置に交換を行っても、適切で精度の高い冷却が可能である。また、広範囲の使用環境温度でも環境温度に応じたファン制御が可能となり、最小限度のファン騒音にする事が出来る。
【０００７】
本発明の請求項２記載の発明は、基準温度を検出するための温度センサーを光ディスク装置に備えた温度センサーを用いるため、新たな温度センサーの設置が不要となり、画像記録装置のコストを低減する事ができる。
【０００８】
本発明の請求項３記載の発明は、ハードディスク装置の内部温度Ｔｈの検出をハードディスク装置のＳＭＡＲＴ（Ｓｅｌｆ  Ｍｏｎｉｔｏｒｉｎｇ  Ａｎａｌｙｓｉｓ  ＆  Ｒｅｐｏｒｔｉｎｇ  Ｔｅｃｈｎｏｌｏｇｙ）情報より得ることを特徴とし、ハードディスク装置の内部温度が画像データと同じ信号系により得られるため、新たな温度センサーや、Ａ／Ｄ変換回路を設ける必要がない。
【発明を実施するための最良の形態】
【０００９】
以下、本発明の実施の形態について図面を用いて説明するが、本発明は画像記録装置のハードディスク装置を交換しても冷却精度の維持と精度向上により、ハードディスク装置への記録再生の高信頼性を図る事が目的であり、以下の実施例に限定されるものではない。
【００１０】
（実施の形態１）
図１は、本発明装置の実施の形態１のハードディスク装置を搭載した画像記録装置１の冷却の構成を示す。ハードディスク装置２と、ハードディスク装置を含めて画像記録装置全体を制御及び、検出温度を演算するマイクロプロセッサ（以下ＣＰＵと略す）３、制御データ等を記憶するフラッシュメモリー４、ファン制御回路５、冷却ファン６、画像記録装置内の基準温度を測定する温度センサー７、温度センサーのアナログ温度値をディジタル変換するＡ／Ｄ変換回路８等から構成される。
【００１１】
ハードディスク装置内部の温度センサー取り付け位置や、そのバラツキが要因となって、ハードディスク装置内部の温度を示すＳＭＡＲＴ温度に差が生じる場合がある。そのため、画像記録装置の冷却が正しく行われず、適切なファン制御が出来ない。そこで、図３で示すフローにより、予めハードディスク装置のＳＭＡＲＴ温度を画像記録装置の基準温度により校正を行う事でハードディスク装置の個体による温度バラツキをなくす事ができる。また、この校正時にはハードディスク装置が十分に環境温度に馴染む事で正確な補正温度が得られる。そして、校正により得られた補正温度値は、ハードディスク装置を交換するまで有効としておく。次に画像記録装置が動作すると、図４で示すフローにより、ハードディスク装置のＳＭＡＲＴ温度は校正された補正温度により、ファン制御が行われるため、適切で正確なファン制御が可能となる。
【００１２】
具体的にハードディスク装置より得られるＳＭＡＲＴ温度補正と冷却ファンの制御方法について、フローチャートの図３から図４を用いて説明する。
【００１３】
まず、基準温度の測定と補正動作をフローチャート図３で説明する。この作業は、画像記録装置を生産する工程もしくは、メンテナンスにおけるハードディスク装置の交換時に行う事とし、その時の環境温度は安定した定温状態が好ましく、実施例では２５℃の環境温度に十分なじんでいる状態で補正動作を行った。画像記録装置内の任意の場所に設置した温度センサーにより基準温度Ｔｒを検出する。この時の温度は２５℃となった。この温度値はＡ／Ｄ変換回路を通し、ＣＰＵに入力される。次に画像記録装置の電源が投入され、ハードディスク装置の起動直後のＳＭＡＲＴ温度Ｔｓを検出する。この時の温度は２７℃となり、ＣＰＵに入力される。この２つの温度差が補正温度Ｔｍとなり、数式１で示すようにＣＰＵにて演算され、補正温度は−２℃となる。次に、この補正温度は書換え可能なフラッシュメモリーに記憶され、動作を終了する。
【００１４】
【数１】
2007058994.tif 000003
【００１５】
次に画像記録装置が通常に動作し、冷却動作が行われる状態をフローチャート図４で説明する。画像記録装置の電源が投入され、ハードディスク装置が起動されると、ＣＰＵからハードディスク装置に対しＳＭＡＲＴ温度Ｔｈの読み出し指示を行う。実施例では１分間隔に行う。その時の温度が３１℃であった。ＣＰＵにて、このＳＭＡＲＴ温度とフラッシュメモリーに記憶された補正温度Ｔｍを読み出し、冷却ファンの制御温度Ｔｆを数式２で示すように２つの温度の和により演算する。この時の制御温度は２９℃となる。次に制御温度データはファン制御回路に入力され、ファン制御回路は、予め設定された温度とファン回転電圧との対比表に従ってファン回転数を決定する。実施例では、表１の対比表に従って制御温度２９℃がファン回転電圧５Ｖになり、冷却ファンを５Ｖで回転させる。次に逐次ハードディスク装置のＳＭＡＲＴ温度を１分間隔で読み出し、その温度変化に従ってファン電圧を変化させ、冷却ファンの制御を行う。
【００１６】
【数２】
2007058994.tif 000004
【００１７】
【表１】
2007058994.tif 000005
【００１８】
このような冷却ファンの制御を行う事により、環境温度が変化し、それに応じてハードディスク装置のＳＭＡＲＴ温度が変化し、そしてファン制御電圧が変化するため適切に、且つ精度の高い冷却を行う事が出来る。また、ファン電圧も冷却に必要な最小限の電圧にする事で、ファンの回転による騒音も低減され、画像記録装置の使用者の不快感が軽減される。更には、ハードディスク装置の生産者により異なるＳＭＡＲＴ温度が基準温度により校正されるため、使用するハードディスク装置に適切な冷却を行う事ができ、画像記録装置の設計時間の短縮や、メンテナンスの作業性が向上するという効果がある。
【００１９】
（実施の形態２）
図２は、本発明装置の実施の形態２の画像記録装置１１の構成を示す。本実施例はハードディスク装置と共に光ディスク装置、実施例では書込み可能なＤＶＤドライブ１９を搭載した画像記録装置である。ＤＶＤドライブはデータの読み書きを行うためのレーザー装置が使用され、レーザー装置が高温になるため、温度を管理するため温度センサーが組み込まれている。この温度センサー、実施例ではサーミスタ１７の検出温度を基準温度Ｔｒとして使用する。他の構成は実施の形態１と同様であり、ハードディスク装置１２と、ハードディスク装置を含めて画像記録装置全体を制御及び、検出温度を演算するマイクロプロセッサ（以下ＣＰＵと略す）１３、制御データ等を記憶するフラッシュメモリー１４、ファン制御回路１５、冷却ファン１６、サーミスタのアナログ温度値をディジタル変換するＡ／Ｄ変換回路１８等から構成される。
【００２０】
このように基準温度を検出する温度センサーをＤＶＤドライブに組み込まれているサーミスタを使用することにより、新たに温度センサーを設置する必要がなくなる。そのため、画像記録装置の部品数とコストの削減が出来るとうい効果がある。
【産業上の利用可能性】
【００２１】
本発明にかかる画像記録装置は、ハードディスク装置を搭載したパーソナルコンピュータや、ハードディスク装置搭載の音楽記録再生装置にも適用できる。
【図面の簡単な説明】
【００２２】
【図１】本発明の実施の形態１に於ける画像記録装置の構成を示した説明図
【図２】本発明の実施の形態２に於ける画像記録装置の構成を示した説明図
【図３】本発明の実施の形態１の補正温度の検出動作を示すフローチャート
【図４】本発明の実施の形態１の画像記録装置のファン制御動作を示すフローチャート
【図５】従来の冷却ファン制御方法による電子装置の構成を示した説明図
【符号の説明】
【００２３】
１、１１    画像記録装置
２、１２    ハードディスク装置
３、１３    マイクロプロセッサ
４、１４    フラッシュメモリー
５、１５    ファン制御回路
６、１６    冷却ファン
７    温度センサー
８、１８    Ａ／Ｄ変換回路
１７    サーミスタ
１９    ＤＶＤドライブ
５０    従来の電子装置
５１    ハードディスク装置
５２    電子回路部
５３    表示部
５４    冷却ファン制御部
５５    電源回路部
６１    表示制御信号
６２    ハードディスク装置の駆動モータ制御信号
６３    ファン駆動モータ制御信号
【図１】
2007058994.tif 000006
【図２】
2007058994.tif 000007
【図３】
2007058994.tif 000008
【図４】
2007058994.tif 000009
【図５】
2007058994.tif 000010